(57)【要約】【課題】  排水栓部の取り付けの際にレリースワイヤに過大なテンションが加わることがない排水栓装置を提供することを目的とする。【解決手段】  浴槽２００の排水口２１０に設けた排水栓蓋１９０を上下動させて排水口２１０を開閉する排水栓装置１００において、排水栓装置１００は、排水栓蓋１９０と、排水栓蓋１９０を上下動させる作動部１６５と、操作部１００Ｂと、操作部１００Ｂの動作を作動部１６５に伝達するレリースワイヤ１６０と、作動部１６５を排水口２１０に取り付ける保持部１２０と、を備え、保持部１２０は、側方に開口部１２１ａを有する筒部１２１を備えてなり、筒部１２１の開口部１２１ａから作動部１６５を挿入させて、作動部１６５を保持部１２０によって保持する。【選択図】  図４
2014009504.tif 000002
【特許請求の範囲】
【請求項１】
水槽の排水口に設けた排水栓蓋を上下動させて前記排水口を開閉する排水栓装置において、
前記排水栓装置は、排水栓蓋と、前記排水栓蓋を上下動させる作動部と、操作部と、前記操作部の動作を前記作動部に伝達するレリースワイヤと、前記作動部を前記排水口に取り付ける保持部と、を備え、
前記保持部は、側方に開口部を有する筒部を備えてなり、
前記筒部の開口部から前記作動部を挿入させて、前記作動部を前記保持部によって保持することを特徴とする排水栓装置。
【請求項２】
前記保持部は、弾性変形可能な合成樹脂製であって、
前記保持部を前記排水口から外した状態では前記開口部が広がって前記作動部を挿入可能であり、前記保持部を前記排水口に取り付けた状態では前記開口部が広がらないように前記開口部の変形が規制されていることを特徴とする請求項１記載の排水栓装置。
【請求項３】
前記保持部に前記作動部を保持した状態で前記保持部を、前記排水口または前記排水口に接続された排水管部材に取り付けられた筒状台座に係合させることによって、前記作動部の前記排水口に取り付けたことを特徴とする請求項１または２に記載の排水栓装置。
【請求項４】
前記保持部は、前記作動部を収容する筒部と、前記筒部の外側に伸びて前記筒状台座に係合可能な脚部と、を備え、
前記保持部を前記筒状台座の上方から差し込んだ際に、前記保持部が前記筒状台座から抜け落ちるのを防止するために、前記脚部の外側端面に前記筒状台座の上面に当接可能なリブを形成したことを特徴とする請求項３記載の排水栓装置。
【請求項５】
前記保持部に、前記作動部が上下動しないように拘束する拘束手段を設けたことを特徴とする請求項１から４のいずれか１項に記載の排水栓装置。
【発明の詳細な説明】
【技術分野】
【０００１】
本発明は、浴槽、洗面ボウルなどの水槽の排水口を開閉する排水栓装置に関する。
【背景技術】
【０００２】
従来、遠隔操作式排水栓装置の排水栓部の作動部を固定する軸受部の構造として、例えば、特許文献１に示す構造が提案されている。この構造では、レリースワイヤが接続された作動部を軸受部を二股に開いてその下方から挿入することで作動部を挟持して固定するようになっている。この構造の場合、作動部を軸受部に挿入する作業をしやすくするために、作動部より下方のレリースワイヤを手で持つ必要があるために、作動部を排水口から上方にある程度引き出して作業をする必要がある。
【先行技術文献】
【特許文献】
【０００３】
【特許文献１】特開２００７−３２７３１１号公報
【発明の概要】
【発明が解決しようとする課題】
【０００４】
しかし、作動部を引き出す際に、作業者が作動部を無理に力を加えて引き出した場合には、ワイヤユニットにテンションが過大にかかりすぎて、レリースワイヤ、あるいは、作動部などが故障するという恐れがあった。また、作動部を軸受部に挿入するとき力を加える方向が軸方向であるため、はずみでレリースワイヤに過大なテンションがかかり故障するという恐れもあった。
本発明は、排水栓部の取り付けの際にレリースワイヤに過大なテンションが加わることがない排水栓装置を提供することを目的とする。
【課題を解決するための手段】
【０００５】
上記した課題を解決するために、本出願の請求項１における発明は、水槽の排水口に設けた排水栓蓋を上下動させて前記排水口を開閉する排水栓装置において、前記排水栓装置は、排水栓蓋と、前記排水栓蓋を上下動させる作動部と、操作部と、前記操作部の動作を前記作動部に伝達するレリースワイヤと、前記作動部を前記排水口に取り付ける保持部と、を備え、前記保持部は、側方に開口部を有する筒部を備えてなり、前記筒部の開口部から前記作動部を挿入させて、前記作動部を前記保持部によって保持することを特徴とする排水栓装置である。
【０００６】
これによれば、保持部の側方にあいた開口部から作動部を水平方向に取り出すことができるので、レリースワイヤに過大なテンションがかかることがない。よって、水槽に排水栓装置を組み付ける際、あるいは、機構部、作動部、レリースワイヤをメンテナンスする際に、レリースワイヤ、機構部、作動部が破損しないようにすることが可能となり、取り扱いやすい排水栓装置を提供することができる。
【０００７】
また、請求項２にかかる発明は、前記保持部は、弾性変形可能な合成樹脂製であって、前記保持部を前記排水口から外した状態では前記開口部を広げて前記作動部を挿入可能であり、前記保持部を前記排水口に取り付けた状態では前記開口部が広がらないように前記開口部の変形が規制されていることを特徴とする。
【０００８】
これによれば、保持部を排水口に取り付けた状態では、作動部が保持部の開口部から外れることはなく、排水栓装置を確実に動作させることが可能となる。
【０００９】
また、請求項３にかかる発明は、前記保持部に前記作動部を保持した状態で前記保持部を、前記排水口または前記排水口に接続された排水管部材のいずれかに取り付けられた筒状台座に係合させることによって、前記作動部の前記排水口に取り付けたことを特徴とする。
【００１０】
これによれば、排水管部材や排水口に直接保持部を取り付けずに筒状台座に取り付けるので、保持部を係合させる部位の加工が容易となり、製造コストを抑えることが可能となる。
【００１１】
また、請求項４にかかる発明は、前記保持部は、前記作動部を収容する筒部と、前記筒部の外側に伸びて前記筒状台座に係合可能な脚部と、を備え、前記保持部を前記筒状台座の上方から差し込んだ際に、前記保持部が前記筒状台座から抜け落ちるのを防止するために、前記脚部の外側端面に前記筒状台座の上面に当接可能なリブを形成したことを特徴とする。
【００１２】
これによれば、筒状台座に対して保持部を強く差し込んでしまった場合であっても、保持部の突状リブが筒状台座の上面に当接することにより、保持部が筒状台座から抜け落ちることはなく、保持部の取り付け作業を確実に行うことが可能となる。
【００１３】
また、請求項５にかかる発明は、前記保持部に、前記作動部が上下動しないように拘束する拘束手段を設けたことを特徴とする。
【００１４】
これによれば、作動部は、排水口に対して位置決めされた保持部に対して上下動しないように拘束されている。よって、排水栓装置による排水栓蓋の上下方向のストロークを精度よく設定することができ、排水栓蓋による排水口の止水を確実に行うことが可能となる。
【発明の効果】
【００１５】
本発明によれば、排水栓部の取り付けの際にレリースワイヤに過大なテンションが加わることがない排水栓装置を提供することが可能となる。
【図面の簡単な説明】
【００１６】
【図１】本発明の一実施形態にかかる排水栓装置を示す概略断面図である。
【図２】図１に示す排水栓装置の排水栓部を示す断面図である。
【図３】浴槽の一部を切り欠いて、排水栓蓋１９０を外した状態の排水口付近を斜め上から見下ろした斜視図である。
【図４】作動部を保持部に保持させて筒状台座に係止させた状態を示す斜視図である。
【図５】保持部を示す図で、（ａ）は斜視図、（ｂ）は側面図、（ｃ）は平面図、（ｄ）は底面図である。
【図６】筒状台座を示す斜視図である。
【図７】作動部を保持部に挿入する状況を示す斜視図である。
【図８】作動部をメンテナンスする際の動作を説明する図である。
【発明を実施するための形態】
【００１７】
以下、図面を参照して、本発明の実施の形態を説明する。
図１は本発明の一実施形態にかかる遠隔操作式の排水栓装置を示す概略断面図である。
排水栓装置１００は、浴槽２００（水槽）に設けられた排水口２１０に取り付けられる排水栓部１００Ａと、浴槽２００のリム面２２０に形成された貫通孔２２１に取り付けられる操作部１００Ｂと、を備え、排水栓部１００Ａと操作部１００Ｂとをレリースワイヤ１６０で接続した遠隔操作式の排水栓装置である。レリースワイヤ１６０は、操作部１００Ｂと排水栓部１００Ａとを接続するように設けられたホース１７０の内部に配設され、アウターチューブの内部でインナーワイヤが進退するように構成されている。
【００１８】
次に、排水栓部１００Ａについて説明する。図２は排水栓部１００Ａを示す断面図、図３は浴槽の一部を切り欠いて排水栓蓋１９０を外した状態の排水口付近を斜め上から見下ろした斜視図である。
排水栓部１００Ａは、浴槽２００の排水口２１０の下部に取り付けられた排水管部材としての支持金具１８０に、レリースワイヤ１６０の一端に設けられた作動部１６５を取り付け、その作動部１６５に排水口２１０を閉じるシール部付きの排水栓蓋１９０を取り付けている。そして、操作部１００Ｂに設けた操作ボタン１５０を押すことによってレリースワイヤ１６０を介して作動部１６５が排水栓蓋１９０を昇降させて、排水口２１０を開閉する。
【００１９】
作動部１６５は、円筒形状であり、保持部１２０および筒状台座１３０とによって支持金具１８０に取り付けられている。筒状台座１３０は、支持金具１８０の流路１８１に挿入され、その流路１８１に設けた段部１８２に筒状台座１３０の底面が載ることによって位置決めされる。また、支持金具１８０に挿入された筒状台座１３０の上方から、締付ナット１４０を支持金具１８０に螺合させる。締付ナット１４０は、支持金具１８０の流路に形成した雌ネジに、締付ナット１４０の底面が筒状台座１３０の上面に接触するまで螺合させることによって、筒状台座１３０を上下動しないように拘束している。
【００２０】
なお、図示しないが、支持金具１８０には、前述したホース１７０の一端が取り付けられている。
【００２１】
以下、図４〜７に基づいて、保持部１２０および筒状台座１３０について説明する。
保持部１２０は、レリースワイヤ１６０の排水栓蓋側端部を支持金具１８０に保持させるホルダーとして設けられている（図２参照）。この保持部１２０は、レリースワイヤ１６０の端部である作動部１６５を収容する筒部１２１と、この筒部１２１を支持金具１８０内の所定位置に位置させる脚部１２２と、脚部１２２の外側端面に形成されてなる係合突起１２３と、脚部１２２の外側単面に形成されてなる突状リブ１２４とからなる（図５参照）。
【００２２】
筒部１２１は、筒体の両端面を開放させるとともに、筒体の側面を両端面に亘って切り欠いた側方開口部１２１ａを備えている。保持部１２０は、ポリプロピレン等の合成樹脂で製造されているので、側方開口部１２１ａを広げるように一時的に変形させることが可能である。また、筒部１２１の下端部には２つのリブ１２１ｂが対向するように形成されている。
【００２３】
脚部１２２は、筒部１２１から外向きに伸びる連結片１２２ａと、連結片１２２ａの外側端部を周方向に広げた上で下方に伸ばした垂直片１２２ｂとを有している。また、この脚部１２２は、１２０度おきに配置された３枚の羽根からなり、支持金具１８０の内側に取り付けた筒状台座１３０に嵌め込まれるようになっているが、羽根の枚数についてはこの限りではない。
【００２４】
係合突起１２３は、脚部１２２の外側端面の下端部、詳しくは、連結片１２２ａよりも下方に伸びた垂直片１２２ｂの下端部、を外向きに突出するように形成されている。そのため、係合突起１２３は、内向きに弾性変形可能である。
【００２５】
突状リブ１２４は、脚部１２２の外側端面における連結片１２２ａと同じ高さ位置に、保持部１２０の長手方向（上下方向）に沿うように、係合突起１２３よりも上方位置に形成されている。そのため、突状リブ１２４は、筒部１２１に対して弾性変形することはない。
【００２６】
筒状台座１３０は、支持金具１８０の内周に保持される筒状体である。この筒状台座１３０は、筒体の内周に、前述した保持部１２０の脚部１２２が挿入される受け溝１３１が形成されている。この受け溝１３１の上端部には、脚部１２２を挿入する際のガイドとなる傾斜案内面１３１ａが形成されている。さらに、この受け溝１３１には、保持部１２０の係合突起１２３が係合する係合凹部１３２が形成されている。また、この筒状台座１３０の下端部には、支持金具１８０の一部と係合する係合爪部１３３が形成されている。
【００２７】
次に、保持部１２０に作動部１６５を取り付ける作業について説明する。
円筒形状の作動部１６５を保持部１２０側方開口部１２１ａに水平方向に押し当てて側方開口部１２１ａを広げ、広がった側方開口部１２１ａから作動部１６５を挿入する。この際、作動部１６５の側面に形成されている凹溝１６５ａを、保持部１２０に形成した２つのリブ１２１ｂに嵌め込むように挿入して、保持部１２０に対して作動部１６５が上下動しないように拘束する。すなわち、このリブ１２１ｂが、作動部１６５の上下動を拘束する拘束手段として機能する。このようにして、作動部１６５と保持部１２０とが一体化される。
【００２８】
次に、作動部１６５と一体化された保持部１２０を支持金具１８０に取り付ける作業について説明する。
作動部１６５と一体化された保持部１２０を、支持部材１８０に予め取り付けられている筒状台座１３０に上方から差し込む。この際、保持部１２０の脚部１２２が、筒状台座１３０の受け溝１３１に挿入されるように保持部１２０の向きを調整しつつ、差し込む。保持部１２０を筒状台座１３０に差し込むと、保持部１２０の係合突起１２３が内向きに弾性変形して、さらに保持部１２０を差し込むと係合突起１２３が筒状台座１３０の係合凹部１３２に係合して、筒状台座１３０に対して保持部１２０が上下左右の向きに拘束される。このようにして、作動部１６５を一体化した保持部１２０が、支持金具１８０に取り付けられる。
なお、筒状台座１３０に対して保持部１２０を強く差し込んでしまい、係合突起１２３が係合凹部１３２を通過した場合でも、保持部１２０の突状リブ１２４が筒状台座１３０の上面に当接することにより、保持部１２０が筒状台座１３０から抜け落ちることはない。
【００２９】
この状態で、保持部１２０の脚部１２２は、筒状台座１３０の受け溝１３１に嵌まっているので、保持部１２０の側方開口部１２１ａは広がることがない。よって、保持部１２０を筒状台座１３０に装着した時点で、保持部１２０から作動部１６５が外れることはない。いわば、筒状台座１３０は、保持部１２０を排水口２１０、より詳しくは支持金具１８０に取り付けた状態で側方開口部１２１ａが広がらないように、保持部１２０の側方開口部１２１ａの変形を規制する役割を果たしている。
【００３０】
次に、作動部１６５、あるいは、レリースワイヤ１６０や、操作部１００Ｂに設けた機構部（ラッチ部）１６２をメンテナンスする場合について説明する。
図８は、作動部１６５をメンテナンスするときの動作を説明する図であり、（ａ）は作動部１６５を支持金具１８０から外した状態、（ｂ）は作動部１６５を支持金具１８０に戻した状態を示す断面図である。いずれも、排水栓蓋は外した状態である。
作動部１６５をメンテナンスするときには、図８（ａ）に示すように、まず、排水栓蓋１９０を取り外し、次いで、筒状台座１３０から、保持部１２０ごと作動部１６５を引き抜く。この際、保持部１２０の係合突起１２３は内向きに弾性変形しやすいので、比較的に楽に保持部１２０と筒状台座１３０との係合を解除することができる。次に、排水口２１０より上方まで引き抜かれた保持部１２０の側方開口部１２１ａを広げ、作動部１６５を側方開口部１２１ａから取り出す。この際、作動部１６５の取り出し方向は、水平方向となるので、レリースワイヤ１６０に過大なテンションをかけることなく、作動部１６５を外すことが可能である。このようにして、作動部１６５を保持部１２０から取り外すことにより、操作部１００Ｂ側からレリースワイヤ１６０と作動部１６５を取り出して、メンテナンスや部品交換などを行うことができる。
【００３１】
以上説明したように、本実施形態の排水栓装置は、作動部１６５を係合させた保持部１２０を支持金具１８０から上向きに取り外せば、保持部１２０の側方開口部１２１ａから作動部１６５を水平方向に取り出すことができるので、レリースワイヤ１６０に過大なテンションがかかることがない。よって、浴槽２００に排水栓装置１００を組み付ける際、あるいは、機構部１４２、作動部１６５、レリースワイヤ１６０をメンテナンスする際に、レリースワイヤ１６０、機構部１４２、作動部１６５が破損しないようにすることが可能となり、取り扱いやすい排水栓装置を提供することができる。
【００３２】
また、保持部１２０のリブ１２１ｂに対して、作動部１６５に形成された凹溝１６５ａを挿入するので、保持部１２０に対して作動部１６５が上下動しないように拘束される。よって、作動部１６５が保持部１２０から抜けることがない。さらに、これに加えて、保持部１２０は、筒状台座１３０に対して上下動しないように拘束され、さらに、筒状台座１３０は締付ナット１４０によって支持金具１８０に対して上下動しないように拘束されている。すなわち、作動部１６５は、支持金具１８０に対して上下動しないように拘束されている。よって、排水栓装置１００による排水栓蓋１９０の上下方向のストロークを精度よく設定することができ、排水栓蓋１９０による排水口２１０の止水を確実に行うことが可能となる。
【００３３】
また、作動部１６５を一体化した保持部１２０は、支持金具１８０に予め取り付けられた筒状台座１３０の内周に脚部１２２を係合させているので、保持部１２０を筒状台座１３０に係合させれば保持部１２０の側方開口部１２１ａは開くことがない。よって、支持金具１８０に取り付けた状態では、作動部１６５が保持部１２０の側方開口部１２１ａから外れることはなく、排水栓装置１００を確実に動作させることが可能となる。
【００３４】
さらに、保持部を排水管部材や排水口に直接取り付けずに、排水管部材や排水口とは別ピースの筒状台座に取り付けるので、保持部を係合させる部位の加工が容易となり、製造コストを抑えることが可能となる。
【００３５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【００３６】
本実施形態では、排水栓装置１００を浴槽２００に取り付ける例を説明したが、洗面ボウルに取り付ける際にも本発明を適用可能である。また、操作ボタン１５０の取付対象部として、やはり浴槽２００を例示して説明したが、浴槽２００に隣接するカウンターの上面を操作ボタン１５０の取付対象部としてもよい。また、操作ボタン１５０を取り付ける取付対象部は、水平面に限らず、垂直面あるいは傾斜面であってもよい。
また、筒状台座１３０を支持金具１８０に取り付けるのに代えて、浴槽２００の排水口２１０に筒状台座１３０を取り付けてもよい。
【符号の説明】
【００３７】
１００：排水栓装置
１００Ａ：排水栓部
１００Ｂ：操作部
１２０：保持部
１２１：筒部
１２１ａ：側方開口部
１２１ｂ：リブ（拘束手段）
１２２：脚部
１２３：係合突起
１３０：筒状台座
１３１：受け溝
１３２：係合凹部
１４０：締付ナット
１６０：レリースワイヤ
１６５：作動部
１８０：支持金具（排水管部材）
１９０：排水栓蓋
２００：浴槽（水槽）
２１０：排水口
【図１】
2014009504.tif 000003
【図２】
2014009504.tif 000004
【図３】
2014009504.tif 000005
【図４】
2014009504.tif 000006
【図５】
2014009504.tif 000007
【図６】
2014009504.tif 000008
【図７】
2014009504.tif 000009
【図８】
2014009504.tif 000010